(57)【要約】      （修正有）【課題】香りの持続性を向上させ芳香剤としての機能を発揮できる紙管及び当該紙管を使用したロール状シートを提供する。【解決手段】ロール状シートの芯となる紙管１において、紙管原紙１０により構成された中空円筒からなる原紙層ＰＬ２１と、原紙層ＰＬ２１の内周面に香料を塗布して形成された香料塗布層１１と、香料塗布層１１の内周面に設けられ複数の開口部を有する揮発制御フィルム２０と、揮発制御フィルム２０の内周面に剥離可能に設けられたガスバリア性の揮発防止フィルム２１とを備え、揮発防止フィルム２１から延出した未接着の延出部ＥＸ２１を有する。【選択図】図２
2016069145.tif 000002
【特許請求の範囲】
【請求項１】
ロール状シートの芯となる紙管において、
紙管原紙により構成された中空円筒からなる原紙層と、
前記原紙層の内周面に香料を塗布して形成された香料塗布層と、
前記香料塗布層の内周面に設けられ複数の開口部を有する第１フィルムと、
前記第１フィルムの内周面に剥離可能に設けられたガスバリア性の第２フィルムと、を備え、
前記第２フィルムは、前記第１フィルムから延出した未接着の延出部を有することを特徴とする紙管。
【請求項２】
前記第２フィルムは、前記第１フィルムの内周面を複数の領域に分割するように、前記領域の境界部分が接着されることを特徴とする請求項１に記載の紙管。
【請求項３】
前記第１フィルムの複数の開口部の総面積は、前記第１フィルムの面積に対して８％以上３０％以下であることを特徴とする請求項１又は２に記載の紙管。
【請求項４】
前記原紙層と前記香料塗布層との間にガスバリア性の第３フィルムを設けたことを特徴とする請求項１から３のいずれか一項に記載の紙管。
【請求項５】
前記第２フィルムは、色付け、若しくは、マーキングされていることを特徴とする請求項１から４のいずれか一項に記載の紙管。
【請求項６】
請求項１から５のいずれか一項に記載の紙管と、
前記紙管を芯として巻回されたシートと、を備えることを特徴とするロール状シート。
【発明の詳細な説明】
【技術分野】
【０００１】
本発明は、紙管及び当該紙管を使用したロール状シートに関する。
【背景技術】
【０００２】
従来、トイレ空間における芳香剤の使用に際しては、設置スペースの確保が必要不可欠であるものの、トイレ空間の狭い空間においては、設置スペースの確保が容易ではない場合もある。
このため、芳香剤の設置スペースの削減等のため、トイレットロールにおいて、トイレットペーパーが巻かれる紙管に香料を付与したものを代用する方法がある。
【０００３】
そこで、例えば、紙管を構成する内側中空円筒と外側中空円筒との間に香料を介在させると共に、内側中空円筒、或いは、外側中空円筒に複数の穿孔を設けることにより、特に初期段階での香りの揮発が不十分であった欠点を解消し、常時均一な揮発効果を得られる香り付きトイレットロールが開示されている（例えば、特許文献１参照）。
【先行技術文献】
【特許文献】
【０００４】
【特許文献１】特許第４１５９０６１号公報
【発明の概要】
【発明が解決しようとする課題】
【０００５】
しかしながら、特許文献１に記載されたようなトイレットロールでは、内側中空円筒と外側中空円筒との間に香料を介在させるため、使用開始までの香料の揮発をある程度抑制できるものの、徐々にではあるが香料が揮発するために、トイレットロールの製造後、消費者の使用開始までの時間が長い場合には、やはり、香りの持続性や香りの強度が十分ではなく、芳香剤としての機能を十分に発揮することができないといった問題点があった。
【０００６】
本発明の課題は、香りの持続性を向上させ芳香剤としての機能を発揮できる紙管及び当該紙管を使用したロール状シートを提供することにある。
【課題を解決するための手段】
【０００７】
前記課題を解決するために、請求項１記載の発明は、
ロール状シートの芯となる紙管において、
紙管原紙により構成された中空円筒からなる原紙層と、
前記原紙層の内周面に香料を塗布して形成された香料塗布層と、
前記香料塗布層の内周面に設けられ複数の開口部を有する第１フィルムと、
前記第１フィルムの内周面に剥離可能に設けられたガスバリア性の第２フィルムと、を備え、
前記第２フィルムは、前記第１フィルムから延出した未接着の延出部を有することを特徴とする。
【０００８】
請求項２記載の発明は、請求項１に記載の紙管において、
前記第２フィルムは、前記第１フィルムの内周面を複数の領域に分割するように、前記領域の境界部分が接着されることを特徴とする。
【０００９】
請求項３記載の発明は、請求項１又は２に記載の紙管において、
前記第１フィルムの複数の開口部の総面積は、前記第１フィルムの面積に対して８％以
上３０％以下であることを特徴とする。
【００１０】
請求項４記載の発明は、請求項１から３のいずれか一項に記載の紙管において、
前記原紙層と前記香料塗布層との間にガスバリア性の第３フィルムを設けたことを特徴とする。
【００１１】
請求項５記載の発明は、請求項１から４のいずれか一項に記載の紙管において、
前記第２フィルムは、色付け、若しくは、マーキングされていることを特徴とする。
【００１２】
請求項６に記載の発明は、ロール状シートにおいて、
請求項１から５のいずれか一項に記載の紙管と、
前記紙管を芯として巻回されたシートと、を備えることを特徴とする。
【発明の効果】
【００１３】
本発明によれば、第２フィルムにより使用開始までの香料の揮発を防止することができ、第２フィルムを剥離することにより香料が揮発されると共に、第１フィルムに設けられた複数の開口部によって香料の揮発を制御することができる。
【図面の簡単な説明】
【００１４】
【図１】本発明のロール状トイレットペーパーの斜視図である。
【図２】本発明の紙管の側面図（ａ）、Ｘ−Ｘ部断面図（ｂ）及び、その一部の拡大図（ｃ）である。
【図３】本発明の紙管の紙管形成前の平面図（ａ）及びＸ−Ｘ部断面図（ｂ）である。
【図４】本発明の紙管の形成方法を示す説明図である。
【図５】本発明の変形例の一例を示す側面図（ａ）、Ｘ−Ｘ部断面図（ｂ）及び、その一部の拡大図（ｃ）である。
【発明を実施するための形態】
【００１５】
以下、図面を参照しつつ、本発明の実施形態である紙管及び当該紙管を使用したロール状シートを詳細に説明する。但し、発明の範囲は、図示例に限定されない。
【００１６】
（実施形態）
本実施の形態では、シートとしてトイレットペーパーを例示して、ロール状シートとしてロール状トイレットペーパーを例示して、説明することとする。
【００１７】
＜ロール状トイレットペーパー＞
ロール状トイレットペーパー１００は、例えば、図１に示すように、紙管１と、紙管１を芯として巻回されたトイレットペーパー２と、などを備えて構成され、紙管１内にペーパーホルダーの支持部を挿入した状態で、トイレットペーパー２を引き出して使用するのが一般的である。
ロール状トイレットペーパー１００の大きさは特に限定されないが、直径１００〜１２０ｍｍ、幅１００〜１１５ｍｍ、紙管径３５〜５０ｍｍのものが一般的であり、本発明においても好適である。
【００１８】
トイレットペーパー２を構成する原紙は、原料パルプを主原料とする薄葉紙用抄紙原料により製造できる。その原料パルプは、特に限定されるものではなく、トイレットペーパー２の具体的な用途に応じて適宜の原料パルプを選択し、また適宜配合して使用することができる。
【００１９】
また、トイレットペーパー２のプライ数及び坪量は、その用途によって適宜調整することができるが、プライ数が１プライから３プライ、全体での紙厚１００〜２７０μｍ、１プライあたりの坪量は１０〜３０ｇ／ｍ２の範囲内にあるものを使用するのが望ましい。坪量が１０ｇ／ｍ２未満では、柔らかさの向上の観点からは好ましいものの、使用に耐えうる十分な強度を適正に確保することが困難となる。逆に、坪量が３０ｇ／ｍ２を超えると紙全体が硬くなると共に、ゴワ付き感が生じてしまい肌触りが悪くなる。なお、坪量の測定方法は、ＪＩＳ  Ｐ  ８１２４（１９９８）による。また、紙厚の測定方法は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この紙厚測定時の荷重は、約７０ｇｆである。なお、紙厚は、１プライの場合は１プライで測定し、複数プライの場合は複数プライで測定する。測定値は、測定を１０回行って得られる平均値とする。
【００２０】
＜紙管＞
紙管１は、例えば、図１に示すように、略中空円筒形状をなしている。
図２は、紙管１の側面図、Ｘ−Ｘ部断面図及び、その一部の拡大図であって、図２（ａ）の側面図に示すように、紙管１は、例えば、２枚の紙管原紙１０が共に螺旋状に巻かれて接着剤で貼り合わされた二層積層構造のスパイラル紙管である。
好ましくは、坪量１２０〜２２０ｇ／ｍ２、紙厚１５０〜５００μｍの紙管原紙１０を螺旋状に巻いて構成されたスパイラル紙管が紙管１の強度を確保しやすい。
例えば、図２（ａ）中のＪＴ２１、ＪＴ２２及びＪＴ２３に示す実線は、紙管原紙１０を螺旋状に巻いて構成される原紙層ＰＬ２１の図面前面側に形成される紙管原紙１０の継ぎ目部分であり、また、ＪＴ２４及びＪＴ２５に示す破線は、紙管原紙１０を螺旋状に巻いて構成される原紙層ＰＬ２１の図面裏面側に形成される紙管原紙１０の継ぎ目部分である。
【００２１】
また、図２（ｂ）のＸ−Ｘ部断面図及び図２（ｃ）の一部の拡大図に示すように、紙管１は、紙管原紙１０を螺旋状に巻いた中空円筒からなる原紙層ＰＬ２１と、原紙層ＰＬ２１の内周面に香料を塗布することにより形成される香料塗布層１１、表面に複数の開口部を有し、当該開口部の大きさ及び開口部の数（開口部の総面積）により香料の揮発を制御する第１フィルムとしての揮発制御フィルム２０と、当該揮発制御フィルム２０の外周面に剥離可能に形成され香料の揮発を防止する第２フィルムとしての揮発防止フィルム２１とから構成されるフィルム層ＦＬ２１と、を有している。
【００２２】
原紙層ＰＬ２１の内周面に塗布される香料は、特に限定されるものではないが、例えば、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモス又はモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料、或いはこれらの２つ以上の混合物を上げることができる。市販品を使用することもできる。
また、香料の塗布量としては、香料の持続性や芳香量の観点から２０ｇ／ｍ２以上の塗布量が好ましい。
【００２３】
揮発制御フィルム２０及び揮発防止フィルム２１は、香料から揮発する気体を透過させにくいガスバリア性（非通気性）のフィルムであり、例えば、エチレン−ビニルアルコール共重合体（ＥＶＯＨ）のフィルムが用いられる。
揮発制御フィルム２０及び揮発防止フィルム２１は、非通気性であれば厚みは基本的に任意であるが、操作性、例えば、指で掴んで剥がす時に掴み易い厚さが好ましい。
但し、薄すぎると破れたりする可能性があり、また、厚みがありすぎると、単純なコストアップになるので、通常の日用品で使われている程度の厚み１０〜１２０μｍが好適である。
また、揮発防止フィルム２１は、剥離後にそのままトイレに流すことができるように、水溶性であると好ましく、例えば、水溶性、且つ、ガスバリア性を有するポリビニルアルコール（ＰＶＯＨ）のフィルムが好ましい。
【００２４】
そして、揮発制御フィルム２０及び揮発防止フィルム２１は、剥離可能な接着剤で貼り合わされ、或いは、揮発制御フィルム２０の表面に揮発防止フィルム２１をヒートシールで溶着させることにより、揮発制御フィルム２０から揮発防止フィルム２１を剥離可能な状態に貼り合わされる。
【００２５】
また、揮発防止フィルム２１の短手方向の幅は、香料塗布層１１や揮発制御フィルム２０の短手方向の幅よりも大きく、これにより、揮発防止フィルム２１の短手方向の一端、或いは、両端に接着材等により接着されていない掴みしろとして機能する延出部ＥＸ２１が形成される。
【００２６】
ここで、紙管１の形成方法について図３及び図４を用いて説明する。図３は、本発明の紙管１の紙管形成前の平面図（ａ）及びＸ−Ｘ部断面図（ｂ）であり、図４は、本発明の紙管１の形成方法を示す説明図（斜視図）である。
【００２７】
図３（ａ）及び（ｂ）に示すように、紙管原紙１０上に、香料を塗布して香料塗布層１１を形成する。そして、形成された香料塗布層１１の表面に複数の開口部ＡＰ３１を有する揮発制御フィルム２０を貼り合わせ、さらに、揮発制御フィルム２０の表面に香料塗布層１１及び揮発制御フィルム２０を覆うように揮発防止フィルム２１を剥離可能に貼り合わせる。
この時、揮発防止フィルム２１は、香料塗布層１１や揮発制御フィルム２０の短手方向の幅よりも大きいので、揮発防止フィルム２１の一端、或いは、両端には、紙管原紙１０と接着されていない延出部ＥＸ２１が形成される。
【００２８】
そして、図４に示すように、図３において重ねられたこれらの紙管原紙１０を、螺旋状に巻いて行くことにより、長尺の中空円筒が構成され、構成された長尺の中空円筒を所定の長さに適宜切断することにより、紙管１が形成される。
【００２９】
但し、単純に、揮発制御フィルム２０の表面に香料塗布層１１及び揮発制御フィルム２０を覆うように揮発防止フィルム２１を剥離可能に貼り合わせた場合、長尺の中空円筒を所定の長さに適宜切断した鏡面（切断面）から全ての香料が揮発してしまう場合がある。
このため、図３（ａ）中、領域ＤＯ３１、領域ＤＯ３２及び領域ＤＯ３３に示すように、揮発制御フィルム２０の内周面を複数の領域に分割すると共に、個々の領域を囲む境界部分で揮発防止フィルム２１を接着、具体的には、図３（ａ）中の破線部分に沿って接着して、それぞれの領域で香料の揮発を防止するように接着させることが好ましい。
【００３０】
例えば、所定の長さに適宜切断する際に、領域ＤＯ３２の部分で切断されたことにより、他の領域ＤＯ３１及びＤＯ３３におけるガスバリア性は確保でき、当該領域における香
料の揮発は防止できるので、使用開始までは香料が揮発しない性能（保香性）を維持することができる。
【００３１】
このように形成された紙管１を使用したロール状シート１００は、製造時点から家庭内で保管されている間において、紙管原紙１０に塗布された香料からの揮発は、ガスバリア性（非通気性）を有する揮発防止フィルム２１により防止できるので、香料が揮発することなく使用開始までは香料が揮発しない性能（保香性）を有することになる。
【００３２】
また、ロール状シート１００の使用開始時に、消費者が揮発防止フィルム２１を剥離、より具体的には、揮発防止フィルム２１の延出部ＥＸ２１を引っ張って、揮発制御フィルム２０から揮発防止フィルム２１を剥離させることにより、初めて、香料の揮発を開始させることができる。
【００３３】
（実施例）
ここで、表１は、揮発制御フィルム２０に形成されている複数の開口部ＡＰ３１の総面積の揮発制御フィルム２０全体の面積に対する比率と、揮発制御フィルム２０から揮発防止フィルム２１を剥離させた場合における芳香の強さの関係を示す試験結果である。
実施条件
紙管長：１１４ｍｍ
紙管径：直径４１ｍｍ
トイレットペーパー長：３０ｍ
トイレ空間の容積：２．１ｍ３
（実際のトイレ空間でなく、仮設のボックス空間で実施した。常温（
約２０〜３０度)、常湿（約４５〜７０％)で実施した。）
ロール状シートの設置場所：トイレ空間の壁側であって、床面から１ｍの位置
香料の種類：小川香料ＢＲ２４８９１
香料塗布層の幅：１０ｍｍ 
香料の塗布量：５６ｇ／ｍ２
揮発制御フィルムの材質：ＥＶＯＨ
揮発制御フィルムの幅：２００ｍｍ
揮発制御フィルムの厚さ：２５μｍ
開口部の総面積の増減方法：同一面積の開口部の数を増減させる
（穴開けパンチ直径６．０〜６．３ｍｍで塗布面積０．００１１４ｍ２に対し
１個の穴(３％相当)、３個の穴(８％相当)、１２個の穴(３０％相当)、３０
個(５０％)相当で試作。）
【００３４】
【表１】
2016069145.tif 000003
【００３５】
表１において、芳香の強さ「◎」は、３人の検証者が「トイレ空間に香りがあるとはっきり認識できる。」、芳香の強さ「○」は、３人の検証者が「トイレ空間に香りがあると認識できる。」、芳香の強さ「△」は、３人の検証者が「トイレ空間に香りがあると認識できるが、香りは弱く感じる。」、芳香の強さ「×」は、３人の検証者が「トイレ空間に香りがあるか認識できない。認識できても非常に弱い。」として評価した。
トイレ空間内において揮発防止フィルム２１を開封した時間を０時間とし、開封時のトイレ空間の芳香の強さと、経過時間後のトイレ空間の芳香の強さが３人の検証者が３人とも同等程度と判断した時点迄を持続していると定義している。
【００３６】
同様に、表１において香りの持続性「◎」は、３人の検証者が「香りの持続時間が４８時間以上」、香りの持続性「○」は、３人の検証者が「香りの持続時間が３６〜４８時間程度」、香りの持続性「△」は、３人の検証者が「香りの持続時間が２４〜３６時間程度」、香りの持続性「×」は、３人の検証者が「香りの持続時間が２４時間以下」として評した。
【００３７】
表１から明らかなように、揮発制御フィルム２０に形成されている複数の開口部ＡＰ３１の総面積は、揮発制御フィルム２０全体の面積に対して８％以上３０％以下である場合には、「トイレ空間に香りがあるとはっきり認識できる。」、或いは、「トイレ空間に香りがあると認識できる。」といった芳香の強さを呈している。
【００３８】
また、表１から明らかなように、揮発制御フィルム２０に形成されている複数の開口部ＡＰ３１の総面積は、揮発制御フィルム２０全体の面積に対して８％以上３０％以下である場合には、「香りの持続時間が４８時間以上」、或いは、「香りの持続時間が３６〜４８時間程度」といった香りの持続性を呈している。
【００３９】
すなわち、このような条件（面積比が８％以上３０％以下）を満足する揮発制御フィルム２０を用いることにより、紙管原紙１０に塗布された香料の揮発を好適に制御することができ、香りの持続性を向上させ芳香剤としての機能を発揮することができる。
【００４０】
以上のように、本発明の実施形態では、ロール状シートの芯となる紙管１において、紙管原紙１０により構成された中空円筒からなる原紙層ＰＬ２１と、原紙層ＰＬ２１の内周面に香料を塗布して形成された香料塗布層１１と、香料塗布層１１の内周面に設けられ複数の開口部ＡＰ３１を有する揮発制御フィルム２０と、揮発制御フィルム２０の内周面に
剥離可能に設けられたガスバリア性の揮発防止フィルム２１とを備え、揮発防止フィルム２１の短手方向の一端、或いは、両端に未接着の延出部ＥＸ２１を有することにより、製造時点から家庭内で保管されている間においては、香料は、ガスバリア性を有する揮発防止フィルム２１によって揮発が防止されるため、当該香料が揮発することなく保香性を有することになるので、使用時に香りが弱くなるという問題を防止できる。
【００４１】
また、ロール状シート１００の使用開始時に、消費者が揮発制御フィルム２０から揮発防止フィルム２１を剥離させることにより、初めて、香料の揮発を開始させることができるので、消費者の選択により香料の揮発を開始することができる。
【００４２】
さらに、揮発制御フィルム２０から揮発防止フィルム２１を剥離させた後、香料は、揮発制御フィルム２０に形成された複数の開口部ＡＰ３１からのみ揮発するので、揮発制御フィルム２０に形成されている複数の開口部ＡＰ３１の総面積の揮発制御フィルム２０全体の面積に対する比率を適切な条件に設定することにより、香料の揮発量を制御でき、香りの持続性を向上させ芳香剤としての機能を発揮することができる。
【００４３】
（変形例）
本発明の実施形態では、原紙層ＰＬ２１の内周面に香料を直接塗布することにより香料塗布層１１を形成しているが、図５に示すように当該香料塗布層１１と、原紙層ＰＬ２１との間にガスバリア性を有する第３フィルムとしての揮発防止用フィルム２２を設けることもできる。
【００４４】
図５は、紙管１の変形例の側面図（ａ）、Ｘ−Ｘ部断面図（ｂ）及び、その一部の拡大図（ｃ）であって、図５中の符号は図２中の符号と同一であり、異なる点は、原紙層ＰＬ２１とフィルム層ＦＬ２１との間に、別途、揮発防止用フィルム２２から構成されるフィルム層ＦＬ５１が設けられている点である。
【００４５】
揮発防止用のフィルム２２としては、香料から揮発する気体を透過させにくいガスバリア性（非通気性）のフィルムであり、例えば、ポリビニルアルコール（ＰＶＯＨ）のフィルムや、エチレン−ビニルアルコール共重合体（ＥＶＯＨ）のフィルムが用いられる。
【００４６】
図５に示すように、当該香料塗布層１１と、原紙層ＰＬ２１との間にガスバリア性を有する揮発防止用フィルム２２を設けることにより、紙管１を通じて香料が、紙管１を芯として巻回されたトイレットペーパー２に揮発することを防止できる。
【００４７】
なお、本発明の実施形態では、紙管原紙１０が螺旋状に巻回されて構成されたスパイラル紙管が例示されているが、勿論、長方形の紙管原紙１０を軸に対して垂直方向に一層だけ巻きつける平巻き紙管であってもよい。
【００４８】
また、消費者が揮発制御フィルム２０から揮発防止フィルム２１を剥離する際に、揮発防止フィルム２１（特に、揮発防止フィルム２１の延出部ＥＸ２１）を視認し易くするため、揮発防止フィルム２１に色付け、若しくは、マーキングを施してもよい。
【００４９】
また、揮発防止フィルム２１に対する色付け、若しくは、マーキングとしては、揮発防止フィルム２１全体に亘って施すのではなく、揮発防止フィルム２１の延出部ＥＸ２１のみに施してもよい。
【符号の説明】
【００５０】
１  紙管
２  トイレットペーパー（シート）
１０  紙管原紙
１１  香料塗布層
２０  揮発制御フィルム（第１フィルム）
２１  揮発防止フィルム（第２フィルム）
２２  揮発防止フィルム（第３フィルム）
１００  ロール状トイレットペーパー（ロール状シート）
ＰＬ２１  原紙層
ＦＬ２１、ＦＬ５１  フィルム層
ＥＸ２１  延出部
【図１】
2016069145.tif 000004
【図２】
2016069145.tif 000005
【図４】
2016069145.tif 000006
【図５】
2016069145.tif 000007
【図３】
2016069145.tif 000008